(57)【特許請求の範囲】
【請求項１】
ネットワークを介して外部に設けられたストレージに画像情報をアップロードする画像情報処理装置において、
撮像画像を表示する画像表示手段と、
撮像された撮像画像を上記画像表示手段に表示しながら取り込む画像取り込み手段と、
上記画像取り込み手段で取り込まれた画像を、所定の操作に応じて上記ストレージに自動的にアップロードする画像アップロード手段とを備え、
上記画像取り込み手段は、上記画像表示手段に表示しながら取り込んだ画像のうち上記所定の操作に応じた画像のファイル名を、上記画像アップロード手段に通知し、
上記画像アップロード手段は、上記画像取り込み手段から上記ファイル名を受け取ると、そのファイル名をリストに登録し、既にファイルデータを送信処理中に、上記所定の操作がなされたとき、その所定の操作に対応したファイル名をリストに登録して、上記画像アップロード手段の表示ウィンドウ内のリスト領域に上記登録されたファイル名を表示し、上記ストレージからの送信許可を受け取ると、リストに登録しておいた上記ファイル名に応じた画像ファイルデータを順番に上記ストレージに送信する
画像情報処理装置。
【請求項２】
上記リスト領域には、上記登録されたファイル名に応じた画像ファイルデータのサムネイル画像及び文字情報がリスト表示される請求項１記載の画像情報処理装置。
【請求項３】
上記画像取り込み手段は、静止画として撮影された撮影画像又は動画として撮影された撮影画像を取り込む請求項１記載の画像情報処理装置。
【請求項４】
上記画像アップロード手段は、上記ストレージに対してログイン処理を開始する請求項１記載の画像情報処理装置。
【請求項５】
上記画像アップロード手段は、上記ストレージからログイン応答を受け取ると、上記リストに登録された上記ファイル名に応じた画像ファイルデータを上記ストレージに対して自動的に送信する請求項４記載の画像情報処理装置。
【請求項６】
上記所定の操作は、上記画像取り込み手段が動作して上記画像表示手段に表示したビューワ中に配置されたアップロード指示ボタンに対するクリック操作である請求項１記載の画像情報処理装置。
【請求項７】
上記撮像画像を直接得る撮像手段を備える請求項１記載の画像情報処理装置。
【請求項８】
ネットワークを介して外部に設けられたストレージに画像情報をアップロードする画像情報処理方法において、
撮像された撮像画像を画像表示部に表示しながら取り込む画像取り込み工程と、
上記画像取り込み工程で取り込まれた画像を、所定の操作に応じて上記ストレージに自動的にアップロードする画像アップロード工程とを備え、
上記画像取り込み工程では、上記画像表示工程にて表示しながら取り込んだ画像のうち上記所定の操作に応じた画像のファイル名を、上記画像アップロード工程に通知し、
上記画像アップロード工程では、上記画像取り込み工程から上記ファイル名を受け取ると、そのファイル名をリストに登録し、既にファイルデータを送信処理中に、上記所定の操作がなされたとき、その所定の操作に対応したファイル名をリストに登録して、上記画像アップロードの表示ウィンドウ内のリスト領域に上記登録されたファイル名を表示し、上記ストレージからの送信許可を受け取ると、リストに登録しておいた上記ファイル名に応じた画像ファイルデータを順番に上記ストレージに送信する
画像情報処理方法。
【請求項９】
上記リスト領域には、上記登録されたファイル名に応じた画像ファイルデータのサムネイル画像及び文字情報がリスト表示される請求項８記載の画像情報処理方法。
【請求項１０】
上記画像取り込み工程は、静止画として撮影された撮影画像又は動画として撮影された撮影画像を取り込む請求項８記載の画像情報処理方法。
【請求項１１】
上記画像アップロード工程は、上記ストレージに対してログイン処理を開始する請求項８記載の画像情報処理方法。
【請求項１２】
上記画像アップロード工程は、上記ストレージからログイン応答を受け取ると、上記リストに登録された上記ファイル名に応じた画像ファイルデータを上記ストレージに対して自動的に送信する請求項１１記載の画像情報処理方法。
【請求項１３】
ネットワークを介して外部に設けられたストレージに画像情報をアップロードするための画像情報処理プログラムを記録した記録媒体において、
コンピュータに、
撮像された撮像画像を画像表示部に表示しながら取り込む画像取り込み工程と、
上記画像取り込み工程で取り込まれた画像を、所定の操作に応じて上記ストレージに自動的にアップロードする画像アップロード工程と
を実行させるためのプログラムを記録したコンピュータ読み取り可能な記録媒体であって、
上記画像取り込み工程では、上記画像表示工程にて表示しながら取り込んだ画像のうち上記所定の操作に応じた画像のファイル名を、上記画像アップロード工程に通知し、
上記画像アップロード工程では、上記画像取り込み工程から上記ファイル名を受け取ると、そのファイル名をリストに登録し、既にファイルデータを送信処理中に、上記所定の操作がなされたとき、その所定の操作に対応したファイル名をリストに登録して、上記画像アップロードの表示ウィンドウ内のリスト領域に上記登録されたファイル名を表示し、上記ストレージからの送信許可を受け取ると、リストに登録しておいた上記ファイル名に応じた画像ファイルデータを順番に上記ストレージに送信する
プログラムを記録したコンピュータ読み取り可能な記録媒体。
【発明の詳細な説明】
【０００１】
【発明の属する技術分野】
本発明は、画像を表示してその画像を外部のストレージにアップロードする画像情報処理装置及び画像情報処理方法、並びに記録媒体に関する。
【０００２】
【従来の技術】
従来、インターネット上に画像をアップロードするためには、ウェブサイトやネットワークの構築に関する手続などの知識が必要であった。また、画像ファイルをアップロードするとき、画像サーバーのある指定された場所にコピーしたり、ブラウザ上でファイルを選択する必要があった。
【０００３】
【発明が解決しようとする課題】
本発明は、静止画あるいは、動画を参照中にアップロードボタンを押すだけで外部のストレージにアップロードすることのできる画像情報処理装置及び方法、並びに記録媒体を提供することを目的とする。
【０００４】
【課題を解決するための手段】
本発明に係る画像情報処理装置は、上記課題を解決するために、ネットワークを介して外部に設けられたストレージに画像情報をアップロードする画像情報処理装置において、撮像画像を表示する画像表示手段と、撮像された撮像画像を上記画像表示手段に表示しながら取り込む画像取り込み手段と、上記画像取り込み手段で取り込まれた画像を、所定の操作に応じて上記ストレージに自動的にアップロードする画像アップロード手段とを備え、上記画像取り込み手段は、上記画像表示手段に表示しながら取り込んだ画像のうち上記所定の操作に応じた画像のファイル名を、上記画像アップロード手段に通知し、上記画像アップロード手段は、上記画像取り込み手段から上記ファイル名を受け取ると、そのファイル名をリストに登録し、既にファイルデータを送信処理中に、上記所定の操作がなされたとき、その所定の操作に対応したファイル名をリストに登録して、上記画像アップロード手段の表示ウィンドウ内のリスト領域に上記登録されたファイル名を表示し、上記ストレージからの送信許可を受け取ると、リストに登録しておいた上記ファイル名に応じた画像ファイルデータを順番に上記ストレージに送信する。
【０００５】
この画像情報処理装置において、上記画像取り込み手段は、上記画像表示手段に表示しながら取り込んだ画像のうち上記所定の操作に応じた画像のファイル名を、上記画像アップロード手段に通知する。
【０００６】
そして、上記画像アップロード手段は、上記画像取り込み手段から上記ファイル名を受け取ると、そのファイル名をリストに登録する。
【０００７】
本発明に係る画像処理方法は、上記課題を解決するために、ネットワークを介して外部に設けられたストレージに画像情報をアップロードする画像情報処理方法において、撮像された撮像画像を画像表示部に表示しながら取り込む画像取り込み工程と、上記画像取り込み工程で取り込まれた画像を、所定の操作に応じて上記ストレージに自動的にアップロードする画像アップロード工程とを備え、上記画像取り込み工程では、上記画像表示工程にて表示しながら取り込んだ画像のうち上記所定の操作に応じた画像のファイル名を、上記画像アップロード工程に通知し、上記画像アップロード工程では、上記画像取り込み工程から上記ファイル名を受け取ると、そのファイル名をリストに登録し、既にファイルデータを送信処理中に、上記所定の操作がなされたとき、その所定の操作に対応したファイル名をリストに登録して、上記画像アップロードの表示ウィンドウ内のリスト領域に上記登録されたファイル名を表示し、上記ストレージからの送信許可を受け取ると、リストに登録しておいた上記ファイル名に応じた画像ファイルデータを順番に上記ストレージに送信する。
【０００８】
本発明に係る記録媒体は、上記課題を解決するために、ネットワークを介して外部に設けられたストレージに画像情報をアップロードするための画像情報処理プログラムを記録した記録媒体において、コンピュータに、撮像された撮像画像を画像表示部に表示しながら取り込む画像取り込み工程と、上記画像取り込み工程で取り込まれた画像を、所定の操作に応じて上記ストレージに自動的にアップロードする画像アップロード工程とを実行させるためのプログラムを記録したコンピュータ読み取り可能な記録媒体であって、上記画像取り込み工程では、上記画像表示工程にて表示しながら取り込んだ画像のうち上記所定の操作に応じた画像のファイル名を、上記画像アップロード工程に通知し、上記画像アップロード工程では、上記画像取り込み工程から上記ファイル名を受け取ると、そのファイル名をリストに登録し、既にファイルデータを送信処理中に、上記所定の操作がなされたとき、その所定の操作に対応したファイル名をリストに登録して、上記画像アップロードの表示ウィンドウ内のリスト領域に上記登録されたファイル名を表示し、上記ストレージからの送信許可を受け取ると、リストに登録しておいた上記ファイル名に応じた画像ファイルデータを順番に上記ストレージに送信する。
【０００９】
【発明の実施の形態】
以下、本発明の実施に係る画像情報処理装置及び方法、並びにプログラムを格納している媒体の実施の形態について、図面を参照しながら説明する。
【００１０】
図１は、本発明が適用される一例としてのノート型パーソナルコンピュータ１と、このノート型パーソナルコンピュータ１にIEEE1394フォーマットに適合したケーブル９を介して接続されたデジタルビデオカメラ３５の外観を示している。
【００１１】
ノート型パーソナルコンピュータ１は、基本的に、本体２と、この本体２に対して開閉自在とされる表示部３により構成されている。図１には表示部３を本体２に対して開いた状態を示している。
【００１２】
本体２には、各種の文字や記号などを入力するとき操作されるキーボード５、表示画面中のマウスカーソルを移動させるときなどに操作されるポインティングデバイスとしてのタッチパット６、及び電源スイッチ８が、その上面に設けられている。なお、図示しないが、ポインティングデバイスとしてのいわゆるマウスが接続されて使用されることも多い。このマウスは、上記タッチパッド６と同様にカーソル操作等を行うものであり、さらにいわゆるマウスホイールが設けられているものもある。
【００１３】
表示部３の正面には、画像を表示するＬＣＤ（Liquid Crystal Display）７が設けられている。さらに、表示部３の右上部には、電源ランプＰＬ、電池ランプＢＬ、必要に応じてメッセージランプＭＬ、その他のＬＥＤよりなるランプが設けられている。
【００１４】
ジョグダイヤル４は、例えば、本体２のキーボード５の右上位置に、ダイヤル側面が本体右側面に露出するような形態で配置されている。また、本体２の例えば右側には、ＰＣカードスロット、メモリカードスロット等が設けられている。メモリカードスロットには、フラッシュメモリ等の半導体メモリを内蔵し、静止画像、動画像、音声、テキストデータ、プログラム等を記憶するメモリカード、例えばいわゆるメモリスティック（商標）が装着される。
【００１５】
このノート型パーソナルコンピュータ１には、上述したとおり背面側のIEEE1394端子に接続されたIEEE1394ケーブル９を介してデジタルビデオカメラ３５が接続されている。そして、このノート型パーソナルコンピュータ１は、後述する静止画・動画取り込みのための画像取り込みアプリケーションソフトウェアを実行することにより、デジタルビデオカメラ３５からの映像を動画や静止画として取り込むことができる。撮影済みの映像はもちろん、カメラスルーの映像も直接取り込むことができる。
【００１６】
また、上記メモリスティックを介してデジタルスチルカメラやデジタルビデオカメラで撮影した静止画を取り込むこともできる。
【００１７】
このノート型パーソナルコンピュータ１は、上記画像取り込みアプリケーションソフトウェアを実行してデジタルビデオカメラ３５から取り込んだ動画や静止画を、ＬＣＤ７に形成したビューワ上に表示しながらそのビューワ上に配置したアップロード（ＵＰＬＯＡＤ）ボタンのクリックの操作に応じて、後述する画像アップロードアプリケーションソフトウェアを実行し、インターネットに接続された画像サーバーにアップロードする。このようなシステムを画像アップロードシステムと記し、詳細については後述する。
【００１８】
なお、ノート型パーソナルコンピュータ１は、上記画像取り込みアプリケーションソフトウェアを、具体的にはＣＤ−ＲＯＭ、ＨＤＤ等のプログラム格納媒体からＲＡＭ内に読み込み、中央処理装置（ＣＰＵ）にて実行する。また、画像アップロードアプリケーションソフトウェアについても同様に、ＣＤ−ＲＯＭ、ＨＤＤ等のプログラム格納媒体からＲＡＭ内に読み込み、ＣＰＵにて実行する。
【００１９】
先ず、ノート型パーソナルコンピュータ１の電気的構成例について図２を用いて説明する。ＣＰＵ５１は、例えば、intel社製のPentium（商標）プロセッサ等で構成されて、ホストバス５２に接続されている。ホストバス５２には、さらに、ノースブリッジ５３が接続されており、ノースブリッジ５３は、ＰＣＩバス５６にも接続されている。ノースブリッジ５３は、例えば、intel社製の400BXなどで構成されており、ＣＰＵ５１やメインメモリ５４周辺の制御を行うようになされている。なお、このノースブリッジ５３と後述するサウスブリッジ５８とで、いわゆるチップセットが構成されている。
【００２０】
ノースブリッジ５３は、さらに、メインメモリ５４及びキャッシュメモリ５５とも接続されている。キャッシュメモリ５５は、ＣＰＵ５１が使用するデータをキャッシュするようになされている。なお、図示していないが、ＣＰＵ５１にも１次的なキャッシュメモリが内蔵されている。
【００２１】
メインメモリ５４は、例えば、ＤＲＡＭ（Dynamic Read Only Memory）で構成され、ＣＰＵ５１が実行するプログラムや、ＣＰＵ５１の動作上必要なデータを記憶するようになされている。具体的に、メインメモリ５４には、起動が完了した時点において、例えば電子メールプログラム５４Ａ、オートパイロットプログラム５４Ｂ、ジョグダイヤル状態監視プログラム５４Ｃ、ジョグダイヤルドライバ５４Ｄ、オペレーティングプログラム（ＯＳ）５４Ｅ、その他のアプリケーションプログラム５４Ｆ1〜５４ＦnがＨＤＤ６７から転送され、記憶される。以下では、上記画像取り込みアプリケーションソフトウェアをアプリケーションプログラム５４Ｆ1、上記画像アップロードアプリケーションソフトウェアをアプリケーションプログラム５４Ｆ2とする。
【００２２】
電子メールプログラム５４Ａは、後述するモデム７５を介して電話回線７６のような通信回線などからネットワーク経由で通信文を授受するプログラムである。電子メールプログラム５４Ａは、特定機能としての着信メール取得機能を有している。この着信メール取得機能は、プロバイダ７７が備えるメールサーバ７８に対して、そのメールボックス７９内に自分（利用者）宛のメールが着信しているかどうかを確認して、自分宛のメールがあれば取得する処理を実行する。
【００２３】
オートパイロットプログラム５４Ｂは、予め設定された複数の処理（またはプログラム）などを、予め設定された順序で順次起動して、処理するプログラムである。
【００２４】
ＯＳ（基本プログラムソフトウェア）５４Ｅは、例えばマイクロソフト社のいわゆるWindows９５や９８（共に商標）、アップルコンピュータ社のいわゆるマックＯＳ（商標）等に代表される、コンピュータの基本的な動作を制御するものである。
【００２５】
ジョグダイヤル状態監視プログラム５４Ｃは、上記各アプリケーションからジョグダイヤル対応であるか否かの通知を受け取り、例えば対応であればジョグダイヤル４を操作することで何が行えるかを表示するために動作する。通常、ジョグダイヤル４のイベント待ちになっているし、アプリケーションからの通知を受け取るリストも持っている。ジョグダイヤルドライバ５４Ｄは、ジョグダイヤル４の操作に対応して各種機能を実行する。
【００２６】
アプリケーションプログラム５４Ｆ1と記した画像取り込みアプリケーションソフトウェアの具体例としては、スマート・キャプチャー（Smart Capture）（商標）がある。このスマート・キャプチャーを実行することで、ノート型パーソナルコンピュータ１の表示部７には、デジタルビデオカメラ３５からキャプチャした映像が表示され、「ファインダー」画面でモニタされる。そこで、静止画（STILL）ボタンがクリックされると、同じく表示部７に表示されるスチルビューワ（静止画ビューワ）上でキャプチャした静止画が確認できる。また、キャプチャした動画は、ムービープレイヤ（動画プレイヤ）で再生される。詳細については後述する。
【００２７】
アプリケーションプログラム５４Ｆ2と記した画像アップロードアプリケーションソフトウェアの具体例としては、イメージ・アップローダー（Image Uploader）（商標）がある。このイメージ・アップローダーは、ノート型パーソナルコンピュータ１が上記スマート・キャプチャーを実行することで取り込んだ静止画、又は動画をインターネットを介して、上記画像サーバにアップロードするためのアプリケーションソフトウェアである。上記スマート・キャプチャーの上記静止画ビューワ、動画プレイヤと連携し、メッセージベースで通信を行い、画像のファイル名を取得する。そして、そのファイルを画像サーバへアップロードする。上記静止画ビューワ、動画プレイヤからは、ファイル名が受け渡される。また、このイメージ・アップローダーは、単独のアプリケーションソフトウェアとして、動作するため送信中も他のアプリケーションソフトウェアでの操作が可能である。送信中に次に送信すべきファイル名を追加することも可能である。詳細については後述する。
【００２８】
ビデオコントローラ５７は、ＰＣＩバス５６に接続されており、そのＰＣＩバス５６を介して供給されるデータに基づいて、表示部３上のＬＣＤ７の表示を制御するようになされている。
【００２９】
ＰＣＩバス５６には、サウンドコントローラ６４が接続され、マイクロホン６６からの入力を取り込み、あるいはスピーカ６５に対して音声信号を供給する。また、ＰＣＩバス５６にはモデム７５も接続されている。モデム７５は、公衆電話回線７６、インターネットサービスプロバイダ７７を介して、インターネット等の通信ネットワーク８０やメールサーバ７８等に接続することができる。
【００３０】
また、ＰＣＩバス５６にはサウスブリッジ５８も接続されている。サウスブリッジ５８は、例えば、intel社製のPIIX4Eなどで構成されており、各種のＩ／Ｏ（Input / Output）を制御するようになされている。即ち、サウスブリッジ５８は、ＩＤＥ（Integrated Drive Electronics）コントローラ／コンフィギュレーションレジスタ５９、タイマ回路６０、およびＩＤＥインタフェース６１等で構成され、ＩＤＥバス６２に接続されるデバイスや、ＩＳＡ／ＥＩＯ（Industry Standard Architecture / Extended Input Output）バス６３およびエンベディットコントローラ６８を介して接続されるデバイスの制御等を行うようになされている。
【００３１】
ＩＤＥコントローラ／コンフィギュレーションレジスタ５９は、いわゆるプライマリＩＤＥコントローラとセカンダリＩＤＥコントローラとの２つのＩＤＥコントローラ、およびコンフィギュレーションレジスタ（configuration register）等から構成されている（いずれも図示せず）。
【００３２】
プライマリＩＤＥコントローラは、ＩＤＥバス６２を介して、コネクタ（図示は省略）に接続しており、コネクタには、ＨＤＤ６７が接続されている。また、セカンダリＩＤＥコントローラは、他のＩＤＥバス等を介して、図示を省略したＣＤ−ＲＯＭドライブや、セカンドＨＤＤ、ＦＤＤなどといった、いわばＩＤＥデバイスであるベイデバイスが装着されたときに、その装着されたベイデバイスのコネクタが電気的に接続されるようになされている。
【００３３】
なお、ＨＤＤ６７には、予め、電子メールプログラム６７Ａ、オートパイロットプログラム６７Ｂ、ジョグダイヤル状態監視プログラム６７Ｃ、ジョグダイヤルドライバ６７Ｄ、ＯＳ（基本プログラムソフトウェア）６７Ｅの他、アプリケーションプログラム６７Ｆ1〜６７Ｆn等が記憶されている。ここで、アプリケーションプログラム６７Ｆ1は上記スマート・キャプチャのような画像取り込みアプリケーションソフトウェアであり、アプリケーションプログラム６７Ｆ2は上記イメージ・ローダーのような画像アップロードアプリケーションソフトウェアである。よって、このＨＤＤ６７は、本発明のプログラム格納媒体の具体例となる。
【００３４】
ＨＤＤ６７内の上記各プログラム６７Ａ、６７Ｂ、６７Ｃ、６７Ｄ、６７Ｅ、６７Ｆ1〜６７Ｆn等は、起動（ブートアップ）処理の過程で、上記ＲＡＭ５４内に順次転送され、そこで上述したように電子メールプログラム５４Ａ、オートパイロットプログラム５４Ｂ、ジョグダイヤル状態監視プログラム５４Ｃ、ジョグダイヤルドライバ５４Ｄ、オペレーティングプログラム（ＯＳ）５４Ｅ、その他のアプリケーションプログラム５４Ｆ1〜５４Ｆnとして一時的に格納される。
【００３５】
ＩＳＡ／ＥＩＯバス６３には、さらに、エンベデットコントローラ６８が接続されている。このエンベデットコントローラ６８は、マイクロコントローラからなりＩ／Ｏコントローラとして使われる。すなわち、エンベデットコントローラ６８は、Ｉ／Ｏインターフェース６９、ＲＯＭ７０、ＲＡＭ７１、ＣＰＵ７２が相互に接続されて構成されている。
【００３６】
ＲＯＭ７０の中には、ＬＥＤ制御プログラム７０Ａ、タッチパッド入力監視プログラム７０Ｂ、キー入力監視プログラム７０Ｃ、ウェイクアッププログラム７０Ｄ、ジョグダイヤル状態監視プログラム７０Ｅが予め格納されている。
【００３７】
ＬＥＤ制御プログラム７０Ａは、電源ランプＰＬ、電池ランプＢＬ、必要に応じてメッセージランプＭＬ、その他のＬＥＤよりなるランプの点灯の制御を行うプログラムである。タッチパッド入力監視プログラム７０Ｂは、タッチパッド６からのユーザによる入力を監視するプログラムである。キー入力監視プログラム７０Ｃは、キーボード５やその他のキースイッチからの入力を監視するプログラムである。ウェイクアッププログラム７０Ｄは、サウスブリッジ５８内のタイマ回路６０から供給される現在時刻データに基づいて、予め設定された時刻になったかどうかをチェックして、設定された時刻になると、所定の処理（またはプログラム）等を起動するために各チップ電源の管理を行うプログラムである。
【００３８】
ジョグダイヤル状態監視プログラム７０Ｅは、ジョグダイヤル４の回転部が回転されたか、或いは押されたかを常に監視するためのプログラムである。
【００３９】
ＲＯＭ７０には、さらにＢＩＯＳ（Basic Input/Output System）７０Ｆが格納されている。ＢＩＯＳとは、基本入出力システムのことをいい、ＯＳやアプリケーションソフトと周辺機器（ディスプレイ、キーボード、ＨＤＤ等）の間でのデータの受け渡し（入出力）を制御するソフトウェアプログラムである。
【００４０】
ＲＡＭ７１は、ＬＥＤ制御、タッチパッド入力ステイタス、キー入力ステイタス、設定時刻用の各レジスタ等や、ジョグダイヤル状態監視用のＩ／Ｏレジスタ等を、レジスタ７１Ａ〜７１Ｆとして有している。例えば、ＬＥＤ制御レジスタ７１Ａは、ジョグダイヤル４が押されて、後述する電子メールの瞬時の立ち上げ状態を表示するメッセージランプＭＬの点灯を制御する。キー入力ステイタスレジスタ７１Ｃは、後述するワンタッチ操作用にジョグダイヤル４が押されると、操作キーフラグが格納されるようになっている。設定時刻レジスタ７１Ｄは、ある時刻を任意に設定することができる。
【００４１】
また、このエンベデットコントローラ６８には、図示を省略したコネクタを介して、ジョグダイヤル４、タッチパッド６、キーボード５がそれぞれ接続されており、ジョグダイヤル４、タッチパッド６、キーボード５それぞれの操作に対応した信号を、ＩＳＡ／ＥＩＯバス６３に出力するようになされている。また、エンベデットコントローラ６８には、電源ランプＰＬ、電池ランプＢＬ、メッセージランプＭＬ、その他のＬＥＤよりなるランプが接続されている。
【００４２】
エンベデットコントローラ６８には、さらに、電源制御回路７３が接続されている。電源制御回路７３は、内蔵バッテリ７４又はＡＣ電源に接続されており、各ブロックに、必要な電源を供給するとともに、内蔵バッテリ７４や、周辺装置のセカンドバッテリの充電のための制御を行うようになされている。また、エンベデットコントローラ６８は、電源をオン又はオフするとき操作される電源スイッチ８を監視している。
【００４３】
さらにエンベデットコントローラ６８には、IEEE１３９４ポート２６が接続されており、このIEEE１３９４ポート２６に接続されたIEEE１３９４ケーブル９により上記デジタルビデオカメラ３５からの映像を受け取ることができる。
【００４４】
次に、図３を参照して、上記画像アップロードシステムについて説明する。この画像アップロードシステムは、ノート型パーソナルコンピュータ１とインターネットと画像サーバー１３０から構成されるものである。
【００４５】
画像サーバー１３０としては、画像シェアリングサービスとして開設された「イメージステーション」（ImageStation）（商標）に使われるサーバーを挙げることができる。
【００４６】
このイメージステーションは、動画や静止画を使った新しいネットワークサービスである。ユーザはイメージステーションのサイトにアクセスし、会員登録することで、所有している動画や静止画などのデータをパソコンからアップロードし、アルバムとして保存することができる。保存された画像は、自分のパソコンなどで見たり送付したりできるほか、アルバムを公開したり、同じ趣味を持つユーザが共有のアルバムに画像データをアップロードするなど、コミュニケーションの場として利用できる。
【００４７】
これまで、インターネット上に画像をアップロードするためには、ウェブサイトやネットワークの構築に関する手続などの知識が必要であった。イメージステーションでは、本発明に係る画像情報処理装置及び方法をシステムの中に組み入れることにより、ユーザが、自分のパソコンのデスクトップ上にある画像データを、イメージステーションのサイトにある、ドラック＆ドロップ用のアイコン中におくだけでアップロードすることができる。
【００４８】
もちろん、インターネットを介してノート型パーソナルコンピュータに接続されるものは、画像サーバーに限定されず、例えば単に大容量のＨＤＤや、その他の記録媒体等のストレージであってよい。
【００４９】
特に、ノート型パーソナルコンピュータ１は、上記画像取り込みアプリケーションソフトウェアを実行することによってデジタルビデオカメラ３５から取り込んだ映像の静止画、動画を、画像取り込みアプリケーションのビューワ、例えば静止画ビューワ１００上の表示領域１０２に表示し、静止画ビューワ１００上に配置されたアップロードボタン１０１のクリック操作に対応して画像アップロードアプリケーションソフトウェア１１０（画像アップロードアプリケーションソフトウェア５４Ｆ2と同じ）を起動して上記イメージステーションで用いられる画像サーバー１３０にアップロードする。
【００５０】
以下にノート型パーソナルコンピュータ１が上記ＨＤＤ６７に予め格納されていた、上記スマート・キャプチャのような画像取り込みアプリケーションソフトウェア（アプリケーションプログラム６７Ｆ1）と、上記イメージ・ローダーのような画像アップロードアプリケーションソフトウェア（アプリケーションプログラム６７Ｆ2）をＣＰＵ５１で実行して画像ファイルをインターネットを介して画像サーバー１３０にアップロードする動作の具体例について図４の状態遷移図と図５〜図９の表示具体例を参照して説明する。図４の状態遷移図において静止画ビューワ、動画プレイヤは、画像取り込みアプリケーションソフトウェアをノート型パーソナルコンピュータ１が実行したときに機能する。また、画像アップロードアプリケーションソフトウェアもノート型パーソナルコンピュータ１において実行される。
【００５１】
先ず、ＨＤＤ６７から読み出された上記画像取り込みアプリケーションソフトウェア（アプリケーションプログラム６７Ｆ1）と、上記画像アップロードアプリケーションソフトウェア（アプリケーションプログラム６７Ｆ2）は、ＲＡＭ５４に一時的に転送される。図２のＲＭＡ５４内に示した、アプリケーションプログラム５４Ｆ１、アプリケーションプログラム５４Ｆ2がそれである。
【００５２】
ノート型パーソナルコンピュータ１のＣＰＵ５１が上記ＲＡＭ５４にアプリケーションプログラム５４Ｆ１として転送された上記画像取り込みアプリケーションソフトウェアを実行すると、上述したように、ノート型パーソナルコンピュータ１の表示部７には、デジタルビデオカメラ３５からキャプチャした映像が表示され、図示しない「ファインダー」画面でモニタされる。そこで、静止画（STILL）ボタンがクリックされると、表示部７には図５に示すスチルビューワ（静止画ビューワ）１００中の表示領域１０２にキャプチャした静止画が確認できる。
【００５３】
このとき、スチルビューワ（静止画ビューワ）１００中に配置されたアップロード（UPLOAD)ボタン１０１がクリック又は押下されると、上記アプリケーションプログラム５４Ｆ2として転送された、上記図３に符号１１０で示した画像アップロードアプリケーションソフトウェア１００が自動的に起動され、ユーザがアップロードしようとしている画像のファイル名が通知される（ステップＳ１）。
【００５４】
すると、上記画像アップロードアプリケーションソフトウェア１１０は、ログイン作業（ステップＳ２）を行う。未ログインの場合はログインを開始する。前回と同じユーザ名でログインすることもできる。そのときは自動でログイン処理を開始する。図６にはログインダイアログ１０５を示す。一度もログインしたことのないユーザの場合、登録ボタン１０９をクリックさせることで、画像アップロードシステムへの登録を促すウィザードが起動する。ログインダイアログ１０５では、ユーザ名入力領域１０６、パスワード入力領域１０７へのユーザ名、パスワードの入力を行わせる。ユーザによりユーザ名、パスワードが入力され、ログインボタン１０８が押下されると、自動的にログインを試みる。キャンセルボタンが押下された場合には、この画像アップロードアプリケーション１１０は終了する。
【００５５】
画像サーバー１３０より、ログイン応答を受け取る（ステップＳ３）と、ログインを完了する。
【００５６】
上記ログイン作業が終わると、画像アップロードアプリケーション１１０は、以下に説明する、一連のアップロード作業を開始する。先ず、画像サーバー１３０に対して、送信開始通知を送信する（ステップＳ４）。この送信開始通知に対して画像サーバー１３０より、画像アップロードアプリケーションソフトウェア１１０に送信開始応答が届く（ステップＳ５）と、画像アップロードアプリケーションソフトウェア１１０はデータ送信を終了するまで繰り返す（ステップＳ６）。
【００５７】
そして、画像アップロードアプリケーションソフトウェア１１０はデータ送信が終わると、画像サーバー１３０よりデータ送信終了応答を受け取る（ステップＳ７）。
【００５８】
上記ログインが終わってから一連のアップロード処理に入るまでの画像アップロードアプリケーションソフトウェア１１０の表示例を図７の（Ａ）、図７の（Ｂ）に示す。ログイン後、待機中にあっては図７の（Ａ）に示すようにメッセージ領域１１１に「待機中」と表示する。一連のアップロード処理に入ると、図７の（Ｂ）に示すように、メッセージ領域１１１には「送信中」であることと送信済みバイト数、ファイルサイズ、転送率等を表示する。また、サムネイル領域１１２には縮小した静止画を表示する。また、状態表示領域１１３にはアップローディング（UPLOADING）と表示する。
【００５９】
ファイルを送信中に、「ABORT」ボタン１１４が押下されると、現在送信中のファイルの転送を中止する。途中で中止されたファイルは後述するリストから削除される。送信状態のときだけ、ボタンはイネーブル（ENABLE）状態になっている。また、「ABORT ALL」ボタン１１５が押下されると、ファイルリスト全部の送信を中止する。送信中のファイルと、リスト中のファイルはリストから削除される。
【００６０】
次に、上記静止画のアップロードに続けて、上記画像取り込みアプリケーションソフトウェアにて、キャプチャした動画を動画プレイヤのビューワで再生しながら、画像サーバー１３０にアップロードする場合の処理について説明する。また、動画のアップロード処理中に、静止画ビューワ中のアップロードボタンが押下されたときの動作についても併せて説明する。
【００６１】
図８に示す動画プレイヤのビューワ１５０で表示領域１５１に動画を再生しながらアップロードボタン１５２がクリック又は押下される（ステップＳ９）と、静止画を送信する場合と同様の一連のアップロード処理（ステップＳ１０）が行われる。
【００６２】
このとき、つまり動画のアップロード処理中に静止画ビューワのアップロードボタン１０１が押下される（ステップＳ１１）と、画像アップロードアプリケーションソフトウェア１１０は図９に示すように、リスト領域１２０に送信するファイルをためておき、送信開始処理許可を受け取るまで待つ。送信開始処理許可は、ステップＳ１０にて行われた一連のアップロード処理が終了後、具体的には画像サーバー１３０から送信終了応答が出された後に得られる。
【００６３】
そして、図９に示すように、リスト領域１２０に、送信すべきファイルがあるときは、送信処理を開始する。リスト領域１２０の左端部にはサムネイル１２１ａ及び１２１ｂに送信すべき静止画が縮小して表示される。また、リスト領域１２０には、各サムネイル１２１ａ及び１２１ｂに表示された静止画のファイルサイズ、ファイル更新日時、ファイル種別が文字情報１２２ａ及び１２２ｂとして表示される。
【００６４】
このように上記画像アップロードシステムを構成するノート型パーソナルコンピュータ１によれば、上記画像取り込みアプリケーションソフトウェアのビューワ上に配置されたアップロードボタンをユーザがクリックするだけで、その他のブラウザ等を起動せずにネットワークを介して画像サーバーに、静止画ファイル、動画ファイルをアップロードすることができる。
【００６５】
また、上記画像アップロードアプリケーションソフトウェアは、アップロード中も、他の操作を可能としている。送信中に、次に送信すべきファイル名の追加を受け付ける。
【００６６】
次に、上記画像アップロードシステムを構成する、ノート型パーソナルコンピュータの他の具体例について説明する。この他の具体例も上記画像取り込みアプリケーションソフトウェアと画像アップロードアプリケーションソフトウェアをＨＤＤ６７からＲＡＭ５４に転送してＣＰＵ５１にて実行するハードウェアを採用してるが、撮像部を備えていることを特徴としている。
【００６７】
図１０には、他の具体例となる、ノート型パーソナルコンピュータ４１の外観を示す。このノート型パーソナルコンピュータ４１は、ミニノート型のコンピュータであり、基本的に、本体４２と、この本体４２に対して開閉自在とされる表示部４３により構成されている。図１０には表示部４３を本体４２に対して開いた状態を示している。
【００６８】
本体４２には、各種の文字や記号などを入力するとき操作されるキーボード４４、表示画面中のマウスカーソルを移動させるときなどに操作されるトラックポイント（商標）４５が、その上面に設けられている。また、本体４２の上面には、音を出力するスピーカ４６と、表示部４３に設けられているＣＣＤビデオカメラ９１で撮像するときに操作されるシャッタボタン４７がさらに設けられている。
【００６９】
表示部４３の正面には、画像を表示するＬＣＤ４８が設けられており、その上端部には、撮像部９０が、表示部４３に対して回動自在に設けられている。すなわち、この撮像部９０は、ＬＣＤ４８と同一の方向と、その逆の方向（背面の方向）との間の１８０度の範囲の任意の位置に回動することができるようになされている。撮像部９０には、ＣＣＤビデオカメラ９１が取り付けられている。撮像部９０の近傍には、図示を省略するが、ＣＣＤビデオカメラ９１のフォーカスを調整する調整リングが設けられている。撮像部９０の隣にはマイクロホン９２が取り付けられている。マイクロホン９２は背面からの音も収音できるようになされている。
【００７０】
表示部４３の下側の本体側には、電源ランプＰＬ、電池ランプＢＬ、メッセージランプＭＬ、その他のＬＥＤよりなるランプが設けられている。
【００７１】
このミニノート型パーソナルコンピュータ４１でも、上記画像取り込みアプリケーションソフトウェアを、具体的にはＣＤ−ＲＯＭ、ＨＤＤ等のプログラム格納媒体からＲＡＭ内に読み込み、中央処理装置（ＣＰＵ）にて実行する。また、画像アップロードアプリケーションソフトウェアについても同様に、ＣＤ−ＲＯＭ、ＨＤＤ等のプログラム格納媒体からＲＡＭ内に読み込み、ＣＰＵにて実行する。
【００７２】
ミニノート型パーソナルコンピュータ４１の電気的構成の要部について図１１を参照して説明する。このミニノート型パーソナルコンピュータ４１の構成で特徴的なのは、上記画像取り込みアプリケーションソフトウェアの実行時に、ＣＣＤビデオカメラ９１で撮影された画像を、エンベデットコントローラ６８に接続されたシャッターボタン４７の押下により取り込み、処理部９３で処理した後、グラフィックチップ９４に入力することである。グラフィックチップ９４は、処理部９３を介してＣＣＤビデオカメラ９１より入力されたビデオデータを、内蔵するＶＲＡＭ９４ａに記憶し、適宜、これを読み出して、ＰＣＩバス５６に接続されたビデオコントローラ５７に出力する。ビデオコントローラ５７は、グラフィックチップ９４より供給された画像データをＬＣＤ４８に出力し、表示させる。
【００７３】
シャッターボタン４７は、ＣＣＤビデオカメラ９１で撮影された画像をキャプチャするときに操作されると共に、そのキャプチャするための上記画像アプリケーションを起動する際にも操作されるように設定される。
【００７４】
このミニノート型パーソナルコンピュータ４１でも、上記画像取り込みアプリケーションソフトウェアを実行することによってＣＣＤビデオカメラ９１から取り込んだ映像の静止画、動画を、画像取り込みアプリケーションのビューワ、例えば図３に示した静止画ビューワ１００上の表示部１０２に表示し、静止画ビューワ１００上に配置されたアップロードボタン１０１がクリックされることにより、上記画像アップロードアプリケーションソフトウェア１１０を起動して画像サーバー１３０にアップロードする。このミニノート型パーソナルコンピュータ４１の画像アップロード動作は、既に説明したのと同様であるので説明を省略する。
【００７５】
上記画像アップロードシステムを構成するミニノート型パーソナルコンピュータ４１によっても、上記画像取り込みアプリケーションソフトウェアのビューワ上に配置されたアップロードボタンをユーザがクリックするだけで、その他のブラウザ等を起動せずにネットワークを介して画像サーバーに、静止画ファイル、動画ファイルをアップロードすることができる。
【００７６】
また、上記画像アップロードアプリケーションソフトウェアは、アップロード中も、他の操作を可能としている。送信中に、次に送信すべきファイル名の追加を受け付ける。
【００７７】
次に、上記画像アップロードシステムの構成要素として、上記ノート型パーソナルコンピュータ１及び４３の代わりとなる、画像情報処理装置の具体例について図１２及び図１３を用いて説明する。
【００７８】
この具体例は、図１２に外観正面図を示す携帯情報機器（Personal Digital Assistants：ＰＤＡ）１６０である。この携帯情報機器１６０には、平面上に例えば液晶パネルによる表示部１６１が形成され、アプリケーションソフトウェアの起動及び各種処理に伴う画像、データとしての画像や文字、再生される音声、音楽に付随する情報、さらには操作のガイドメッセージ、再生や編集操作等のためのメニュー画面等が表示される。
【００７９】
この携帯情報機器１６０上には、ユーザの操作のための各種の操作子が設けられる。例えば、操作キー、ジョグダイヤル、プッシュダイヤル等がそれぞれ所要の部位に形成される。これらの操作子により、ユーザは、例えば、電源操作、メニュー操作、選択操作、文字等の入力操作、その他の必要とされる操作を行うことができる。この携帯情報機器１６０では、アップロードボタンのみに符号１６３を付している。
【００８０】
この携帯情報機器１６０には、ＣＣＤビデオカメラ部１６２ａを備えたメモリスティック１６２が図示しないメモリカードスロットに挿入されている。ＣＣＤビデオカメラ部１６２ａで撮影している映像を、図示を省略したシャッターボタンの押下に応じて取り込み、表示部１６１に表示している。
【００８１】
この携帯情報機器１６０でも、上記画像取り込みアプリケーションソフトウェアを、後述するフラッシュＲＯＭやメモリカードなどのプログラム格納媒体からＲＡＭ内に読み込み、中央処理装置（ＣＰＵ）にて実行する。また、画像アップロードアプリケーションソフトウェアについても同様に、フラッシュＲＯＭやメモリカードなどのプログラム格納媒体からＲＡＭ内に読み込み、ＣＰＵにて実行する。そして、取り込んだ画像をインターネットに接続された画像サーバーにアップロードする。
【００８２】
この携帯情報機器１６０の電気的構成例について図１３を参照して説明する。この携帯情報機器１６０内には、先ず中核となる部位として、システムコントローラ１６４、ＣＰＵ１６５、フラッシュＲＯＭ１６６、Ｄ−ＲＡＭ１６７が設けられる。基本的なユーザーインターフェースのための部位として操作部１６３、表示制御部１７２、表示部１６１が形成される。
【００８３】
さらに、ＣＣＤビデオカメラ１６２ａ付きメモリースティック１６２が挿入されるスロット１８６と撮像データインターフェース１８７が設けられる。
【００８４】
システムコントローラ１６４は、アップロードボタンを含む操作部１６３からの操作情報を入力し、それに応じてＣＰＵ１６５に割り込みをかける。操作部１６３には、表示部１６１に操作キーやアイコンの表示を行うとともに表示部１６１上でのタッチ検出機構を設けることで、タッチパネル操作子を形成してもよく、その場合のタッチパネル操作子も操作部１６３に含まれる。
【００８５】
ＣＰＵ１６５は基本ソフト（ＯＳ）や、上記画像取り込みアプリケーションソフトウェアや、上記画像アップロードアプリケーションソフトウェアのようなアプリケーションプログラムが動作される部位となる。
【００８６】
ＣＰＵ１６５は、システムコントローラ１６４を介して供給される操作情報に応じて所要の処理を実行する。フラッシュＲＯＭ１６６は、基本動作プログラム、各種処理定数、設定情報等を記憶する領域とされる。
【００８７】
Ｄ−ＲＡＭ１６７は、各種処理に必要な情報の記憶、データのバッファリング、ＣＰＵ１６５のワークエリアの拡張、その他、ＣＰＵ１６５の処理に応じて多様に使用される。またＤ−ＲＡＭ１６７にはストレージエリア（不揮発性領域）が設けられており、そのストレージエリアにはＯＳやアプリケーションソフトウェアがインストールされる。
【００８８】
そしてＤ−ＲＡＭ１６７にインストールされたアプリケーションソフトウェアは、ユーザからの操作に応じて起動され、ＣＰＵ１６５により実行される。
【００８９】
またアプリケーションソフトウェアはユーザインターフェース画面を持ち、ユーザの指示による状態遷移に基づいて、Ｄ−ＲＡＭ１６７に確保されたフレームバッファに描画を行う。描画された画像データは、表示制御部１７２に送られ、表示部１６１に表示される。
【００９０】
この携帯情報機器１６０では、メモリスロット１７４に装着されたメモリカード１７５に対する各種データ（コンピュータ用データ、音楽データ、動画像データ、静止画像データ、制御データ）の記録再生が可能とされる。なお、この図１３の例ではメモリスロット１７４が二つ形成されていることから、二つのメモリカード１７５を同時に装着なされている。
【００９１】
ＣＰＵ１６５は、メモリカードインターフェース１７３を介して装着されたメモリカード１７５に対して書き込み又は読み出しアクセスすることができる。ＣＰＵ１６５は、装着されたメモリカード１７５を、拡張的なメモリ領域として利用することができる。
【００９２】
また、もちろんメモリカード１７５にアプリケーションソフトウェアが記録されていれば、それをＤ−ＲＡＭ１６７にインストールしたり、或いはアプリケーションソフトウェアやデータを直接Ｄ−ＲＡＭ１６７に展開して所要処理を実行させることができる。
【００９３】
また、或アプリケーションソフトウェアに基づいてＣＰＵ１６７が、作成した文書データ、画像データ、オーディオデータ、表計算データなどを、メモリカード１７５に記録することもできる。
【００９４】
なお、メモリスロット１７４にメモリカード１７５が装着されたことを検出することで、メモリカード１７５に対する動作が記録再生動作可能になったり、或いはメモリカード１７５に記録されているアプリケーションソフトウェアやデータが自動的にＤ−ＲＡＭ１６７に展開されるなどの、いわゆるホットプラグイン動作も可能である。
【００９５】
またメモリカードインターフェース１７３は、メモリカード１７５に記録するデータについての暗号化処理や、読みだしデータの暗号解読処理なども可能とされている。
【００９６】
カメラ付きメモリカードスロット１８６に装着されたＣＣＤビデオカメラ部１６２ａを備えたメモリスティック１６２により撮像された撮像画像データは、撮像データインターフェース１８７を介してＤ−ＲＡＭ１６７に取り込むことができる。ＣＰＵ１６５は、所定のアプリケーションソフトウェア（上記画像取り込みアプリケーションソフトウェア）に基づく動作により、撮像画像データの編集やメモリカード１７５への記録などを実行できる。
【００９７】
オーディオインターフェース１７６は、スピーカ１７９、マイクロホン１８５、ヘッドホン端子１８０、ライン出力端子１８１から入出力されるオーディオデータのインターフェース部位となる。
【００９８】
例えばマイクロホン１８５或いはライン入力端子１８４から入力されたアナログオーディオ信号は、入力オーディオ処理部１８３でそれぞれ所定の増幅処理やフィルタリングが行われ、Ａ／Ｄ変換器１８２でデジタルオーディオデータとされてオーディオデータインターフェース１７６に供給される。オーディオデータインターフェース１７６は、入力されたデジタルオーディオデータについて、ＣＰＵ１６５の制御に基づいて処理や出力を実行する。例えば所要の圧縮エンコード処理を行った後、メモリカードインターフェース１７３に供給し、メモリカード１７５に記録させることができる。またオーディオインターフェース１７６は、たとえばメモリカード１７５から読み出されるなどして供給されたデジタルオーディオデータについて所定のデコード処理を行い、Ｄ／Ａ変換器１７７に供給する。Ｄ／Ａ変換器１７７は、デジタルオーディオデータをアナログオーディオ信号に変換する。出力オーディオ処理部１７８は、供給されたアナログオーディオ信号について、出力先に応じた所定の増幅処理、インピーダンス調整などを行い、スピーカ１７９、ヘッドホン端子１８０、ライン出力端子１８１に出力する。
【００９９】
ＵＳＢインターフェース１６８は、ＵＳＢコネクタ１６９に接続された外部機器の通信インターフェースである。ＣＰＵ１６５はＵＳＢインターフェース１６８を介して外部のパーソナルコンピュータ或いは周辺機器などとの間でデータ通信を行うことができる。例えばこの携帯情報機器１６０で扱われる制御データ、コンピュータデータ、画像データ、オーディオデータなどの送受信が行われる。
【０１００】
同様にIEEE1394インターフェース１７０はIEEE1394端子１７１に接続された外部機器との間の通信インターフェースである。ＣＰＵ１６５はIEEE1394インターフェース１７０を介して外部の情報機器との間で各種データ通信を行うことができる。
【０１０１】
また、この携帯情報機器１６０は、図示を省略するが、モデムを内蔵しており、公衆回線、インターネットプロバイダを介してインターネット等の通信ネットワークやメールサーバに接続することができる。
【０１０２】
このような構成の携帯情報機器１６０を画像アップロードシステムの構成要素とすることにより、上記画像取り込みアプリケーションソフトウェアに連携するアップロードボタン１６３をユーザが押下するだけで、上記画像アップロードアプリケーションソフトウェアを実行し、上記図４〜図９を用いて説明したように、その他のブラウザ等を起動せずにネットワークを介して画像サーバーに、静止画ファイル、動画ファイルをアップロードすることができる。
【０１０３】
また、上記画像アップロードアプリケーションソフトウェアは、アップロード中も、他の操作を可能としている。送信中に、次に送信すべきファイル名の追加を受け付ける。
【０１０４】
なお、上記画像情報処理装置の具体例としては、ノート型パーソナルコンピュータや、携帯情報機器を挙げたが、これらに限定されるものではない。画像を取り込める携帯電話装置や、モデムを備えたビデオカメラ装置等、少なくとも上記画像取り込み手段と、画像アップロード手段を、ＣＰＵで機能的に実行できるものであればよい。
【０１０５】
【発明の効果】
本発明によれば、静止画あるいは、動画を参照中にアップロードボタンを押すだけで外部のストレージにアップロードすることができる。このため、ユーザ側からみれば、画像ファイルのネットワークサービスへのアップロード時に、ステップ数を減らすことができ、簡単になる。また、ネットワークサービスの登録者を増やすことができる。
【図面の簡単な説明】
【図１】本発明が適用される一例としてのノート型パーソナルコンピュータにデジタルビデオカメラを接続した状態での外観斜視図である。
【図２】上記ノート型パーソナルコンピュータの電気的構成例を示すブロック図である。
【図３】上記ノート型パーソナルコンピュータとインターネットと画像サーバからなる画像アップロードシステムを示す図である。
【図４】上記画像アップロードシステムの状態遷移図である。
【図５】静止画ビューワの表示例を示す図である。
【図６】ログインダイアログを示す図である。
【図７】ログインが終わってから一連のアップロード処理に入るまでの画像アップロードアプリケーションソフトウェアの表示例を示す図である。
【図８】動画プレイヤーの表示例を示す図である。
【図９】リスト領域に送信待ちのファイルがある場合の表示例を示す図である。
【図１０】本発明が適用される他の例となるミニノート型パーソナルコンピュータの外観斜視図である。
【図１１】上記図１０に示したミニノート型パーソナルコンピュータの電気的構成の要部を示すブロック図である。
【図１２】本発明が適用されるさらに他の例となる携帯情報機器の正面図である。
【図１３】上記携帯情報機器の電気的構成例を示すブロック図である。
【符号の説明】
１  ノート型パーソナルコンピュータ、２６  IEEE1394ポート、３５  デジタルビデオカメラ、５１  ＣＰＵ、１００  静止画ビューワ、６７Ｆ1  画像取り込みアプリケーションソフトウェア、６７Ｆ2，１１０  画像アップロードアプリケーションソフトウェア、１３０  画像サーバー
【図１】
0004415471.tif 000002
【図２】
0004415471.tif 000003
【図３】
0004415471.tif 000004
【図４】
0004415471.tif 000005
【図５】
0004415471.tif 000006
【図６】
0004415471.tif 000007
【図７】
0004415471.tif 000008
【図８】
0004415471.tif 000009
【図９】
0004415471.tif 000010
【図１０】
0004415471.tif 000011
【図１１】
0004415471.tif 000012
【図１２】
0004415471.tif 000013
【図１３】
0004415471.tif 000014